(57)【要約】  ジャケット（１２）およびズボン（２６）を含み、ジャケットは少なくとも一つのファスナ（２２）によりズボンに取り付けることのできるパウダースカート（１８）を含む。本発明の一形態は、防水ジャケット（１２）、第一縁が防水ジャケット（１２）に取り付けられた少なくとも二つの縁を有する伸縮性パウダースカート（１８）、前記パウダースカートの第二縁に連結された少なくとも一つのファスナ（２２）、ウエスト開口部および二つの脚開口部を含む防水ズボン（２６）、およびズボン（２６）に連結された少なくとも一つの対応する係止ファスナ（３２）を含む。ファスナ（２２）および対応する係止ファスナ（３２）はパウダースカート（１８）を防水ズボン（２６）へ離脱自在に固定するように構成されている。他の実施形態において、ファスナ（２２）および対応する係止ファスナ（３２）は、標準長の二つの係止ジッパーの対応する係止部であり、衣服寸法と関係なくジッパーを形成するために結合できる。
2007511674.tif 000002
【特許請求の範囲】
【請求項１】
防水ジャケット、
第一縁が防水ジャケットに取り付けられている少なくとも二つの縁を有する伸縮性パウダースカート、
前記パウダースカートの第二縁に連結された少なくとも一つのファスナ、
ウエスト開口部および二つの脚開口部を含む防水ズボン、および
前記ズボンに連結された少なくとも一つの対応する係止ファスナを含み、
前記ファスナおよび前記対応する係止ファスナは前記パウダースカートを前記防水ズボンへ離脱自在に固定するように構成されている、ウインタスポーツ衣服セット。
【請求項２】
前記ファスナはジッパーの係止部であり、
前記対応する係止ファスナはジッパーの対応する係止部であり、かつ
ジッパーの係止部およびジッパーの対応する係止部はジッパーを形成するために結合するように構成されている、請求項１の衣服セット。
【請求項３】
前記防水ジャケットは内面および外面を含み、かつ
前記パウダースカートの第一縁は前記ジャケットの内面に取り付けられている、請求項２の衣服セット。
【請求項４】
前記パウダースカートの第一縁は前記ジャケットの内面に縫合されている、請求項３の衣服セット。
【請求項５】
前記防水ズボンは内面および外面を有し、
前記少なくとも一つの対応する係止ファスナは前記ズボンの外面に取り付けられている、請求項１の衣服セット。
【請求項６】
前記対応する係止ファスナは、前記ズボンへ永久的に取り付けられたジッパーの係止部である、請求項５の衣服セット。
【請求項７】
前記防水ズボンは二つのパウダースカートを含み、
前記パウダースカートの各々は前記ズボンの内面に取り付けられ、かつ
前記パウダースカートの各々は前記ズボンの脚開口部の一つから少なくとも一部が延びている、請求項５の衣服セット。
【請求項８】
前記防水ジャケットおよび前記防水ズボンは、積雪条件での活動に対する十分な耐水性と断熱性を有する材料から構成されている、請求項１の衣服セット。
【請求項９】
前記パウダースカートは、積雪状況下への着用者の落下の場合であっても水および雪に対してバリアとして機能する十分な強度をもって防水ジャケットおよびズボンに取り付けられている、請求項８の衣服セット。
【請求項１０】
内面および外面、
少なくとも二つの縁を有し、その第一縁がジャケットに取り付けられた伸縮性パウダースカート、および
前記パウダースカートへ連結された少なくとも一つの標準ファスナを含むウインタスポーツ用ジャケット。
【請求項１１】
前記パウダースカートは前記ジャケットの内面に取り付けられている、請求項１０のジャケット。
【請求項１２】
ファスナが前記パウダースカートの第二縁に取り付けられた標準長の係止ジッパー部である、請求項１０のジャケット。
【請求項１３】
前記ジャケットは積雪条件の使用に対して十分な耐水性および断熱性を有する少なくとも一つの材料から構成されている、請求項１２のジャケット。
【請求項１４】
ウエスト開口部、二つの脚開口部、内面および外面を有するウインタスポーツ用ズボンであって、
前記ズボンに永久的に取り付けられた少なくとも一つのファスナを含み、
前記ファスナは、複数の異なる寸法のジャケットのいずれかの上の対応するファスナに結合するために設置され、ズボンに取り付けられた一タイプのジッパーの相互係止部である、ウインタスポーツ用ズボン。
【請求項１５】
前記ファスナは、前記ズボンの外面に取り付けられている、請求項１４のズボン。
【請求項１６】
前記ファスナは、所定標準長のジッパーの係止部である、請求項１４のズボン。
【請求項１７】
ジッパーの係止部はウエルトフラップの下に少なくとも一部が隠れている、請求項１６のズボン。
【請求項１８】
二つのパウダースカートを含み、
前記パウダースカートの各々は、前記ズボンの内面に取り付けられ、かつ
前記パウダースカートの各々は、前記ズボンの脚開口部内に少なくとも一部が設置されている、請求項１４のズボン。
【請求項１９】
前記ズボンは、積雪条件での使用に十分な耐水性および断熱性を有する材料により構成されている、請求項１４のズボン。
【請求項２０】
防水ジャケット、
防水ズボン、および
前記ズボンから前記ジャケットへ延びた雪バリアを伸縮自在に形成する手段を含む、ウインタスポーツ用衣服。
【発明の詳細な説明】
【技術分野】
【０００１】
本発明は、パウダースカートのジッパーシステムに関する。
【背景技術】
【０００２】
多くのウインタスポーツは、積雪条件においてアウトドアで行われる。スキーおよびスノーボードはかかるスポーツの二例である。雪中落下は多くのウインタスポーツにとって危険である。従って、種々の衣服が関係者を可能な限り温かくかつ乾燥させるために開発されている。
【０００３】
落下時に、雪はしばしば衣服内の開口部から防水衣服の内側へ侵入する。分離したジャケットおよびズボンが着用される場合、雪はしばしばジャケットベース内開口部からジャケット内側へ侵入する。雪は、「パウダースカート」と呼ばれるジャケットのベース内側および近傍に防水材料による内スカートを使用することによって内側への侵入を阻止され得る。スカートは、着用者のウエストまわりに適合させかつズボンからジャケットの内側ライニングにわたるバリアを形成するために伸縮性である。
【発明の開示】
【０００４】
［発明の概要］
ジャケットおよびズボンを含み、ジャケットはズボンに取り付けることのできるパウダースカートを含む。本発明の一形態において、前記ジャケットはジッパーを介して前記ジャケットへ取り付けられ、かつ前記ジッパーは、本発明によるジャケットが種々の異なる寸法のズボンに組合せて使用できるように、標準化されている。本発明の他の特徴によれば、ズボン上のジッパーの係止部は取り付けられないときにはウエルトフラップ（welt flap)の下に少なくとも一部が隠れる構成である。本発明の一実施形態は、防水ジャケット、第一縁が前記防水ジャケットに取り付けられた少なくとも二つの縁を有する伸縮性パウダースカート、前記パウダースカートの第二縁に連結された少なくとも一つのファスナ、ウエスト開口部および二つの脚開口部を含む防水ズボン、および前記ズボンに連結された少なくとも一つの対応する係止ファスナを含む。前記ファスナおよび前記対応する係止ファスナは前記パウダースカートを前記防水ズボンへ離脱自在に固定するように構成されている。
【０００５】
他の実施形態において、前記ファスナはジッパーの係止部であり、前記対応する係止ファスナはジッパーの対応する係止部であり、かつジッパーの係止部およびジッパーの対応する係止部はジッパーを形成するために結合するように構成されている。
【０００６】
他の実施形態において、前記防水ジャケットは内面および外面を含み、かつ前記パウダースカートの第一縁は前記ジャケットの内面に取り付けられている。
【０００７】
他の実施形態において、前記パウダースカートの第一縁は前記ジャケットの内面に縫合されている。
【０００８】
他の実施形態において、前記防水ズボンは内面および外面を有し、かつ前記少なくとも一つの対応する係止ファスナは前記ズボンの外面に取り付けられている。
【０００９】
他の実施形態において、前記対応する係止ファスナは、前記ズボンへ永久的に取り付けられたジッパーの係止部である。
【００１０】
他の実施形態において、前記防水ズボンは二つのパウダースカートを含み、前記パウダースカートの各々は前記ズボンの内面に取り付けられ、かつ前記パウダースカートの各々は前記ズボンの脚開口部の一つから少なくとも一部が延びている。
【００１１】
前記防水ジャケットおよび前記防水ズボンは、積雪条件での活動に対する十分な耐水性と断熱性を有する材料から構成されている。
【００１２】
前記パウダースカートは、積雪状況下で着用者が落下した場合であっても水および雪に対してバリアとして機能する十分な強度を有して、防水ジャケットおよびズボンに取り付けられている。
【００１３】
本発明の他の特徴は、内面および外面、少なくとも二つの縁を有し、その第一縁がジャケットに取り付けられた伸縮性パウダースカート、および前記パウダースカートへ連結された少なくとも一つの標準ファスナを含む。前記パウダースカートは前記ジャケットの内面に取り付けられてよい。更に、前記ファスナは、前記パウダースカートの第二縁に取り付けられた標準長の係止ジッパー部であってよい。
【００１４】
他の実施形態によれば、本発明によるジャケットは、積雪条件の使用に対して十分な耐水性および断熱性を有する少なくとも一つの材料から構成されている。
【００１５】
本発明の他の特徴によれば、本発明によるウインタスポーツ用ズボンは、ウエスト開口部、二つの脚開口部、内面および外面を有し、少なくとも一つのファスナが前記ズボンに永久的に取り付けられている。前記ファスナは、複数の異なる寸法のジャケットのいずれかの上の対応するファスナに結合するために設置され、ズボンに取り付けられた一種のジッパーの相互係止部である。前記ファスナは、前記ズボンの外面に取り付けられてよい。更に、前記ファスナは、所定標準長のジッパーの係止部であってよい。
【００１６】
更に、他の実施形態において、ジッパーの係止部はウエルトフラップの下に少なくとも一部が隠れている。
【００１７】
更に、他の実施形態において、本発明によるズボンは、二つのパウダースカートを含み、前記パウダースカートの各々は、前記ズボンの内面に取り付けられ、かつ前記パウダースカートの各々は、前記ズボンの脚開口部内に少なくとも一部が設置されている。
【００１８】
更に、他の実施形態において、前記ズボンは、積雪条件での使用に十分な耐水性および断熱性を有する材料により構成されている。
【発明を実施するための最良の形態】
【００１９】
図面を参照すると、図示衣服セット１０は、快適な雪条件において着用者の保温と乾燥を維持することのできる防水ジャケット１２およびズボン２６を含む。ジャケットは、ズボンに締結できるパウダースカート１８を含む。一形態において、パウダースカートは、ファスナとしてジッパーの係止部２２を含み、かつズボンはファスナとしてジッパーの対応する係止部３２を含む。衣服セットが着用されかつパウダースカートがズボンに結合されるときに、パウダースカートはズボン２８の外部からジャケット２０の内部へ伸張し、さもなければ存在するであろうジャケットおよびズボン間の開口部を封鎖する。開口部を封鎖することによって、パウダースカートは、着用者の落下時に完全を維持する雨および雪に対するバリアを創出する。ある場合には、ジッパー係止部は所定の明細に従い、ジーパー部が衣服セットを形成するジャケットおよびズボンの寸法と関係なく結合できるようにされる。更に、ズボンは、ジッパーの係止部が外されるときに怪我を防止するためにジッパーの対応する係止部上にウエルト（welt)フラップ３６を含んでよい。
【００２０】
本発明による衣服セットは、図１に示されている。衣服セット１０はジャケット１２を含む。ジャケットの外部１４は防水材料で構成される。パウダースカート１８の一縁１６はジャケットの内面２０へ取り付けられる。パウダースカートはジャケットの内面から所定距離で伸長し、かつジッパーの係止部２２はパウダースカートの他の縁２４に連結される。衣服セット１０は、更にズボン２６を含む。ズボンの外部２８は防水材料で構成される。ズボンのウエスト３０近くに、パウダースカート１８に連結されたジッパーの係止部２２と組合せる設計のジッパーの対応する係止部３２が取り付けられる。
【００２１】
典型的には、パウダースカート１８は伸縮性のある防水材料により構成される。幾つかの例において、パウダースカートはジャケットの内面に縫合されるが、他の事例においてパウダースカートはジッパー、ボタン、ホック、ループ締結材料または他の取り付け手段を介して取り付けられてよい。更に、パウダースカートはジャケットの下縁に取り付けられ、ジャケットの下へ一体化され、またはジャケットの外側へ取り付けられる。ジャケットが、ジャケットの着用を促進するために前ジッパーを含む形態において、パウダースカートに隙間が必要とされる。着用時に、この隙間は隙間のいずれかの側のパウダースカートの一部をその隙間の反対側のジャケットの一部かつ／またはその隙間の反対側のパウダースカートの一部へ取り付けることによって閉鎖できる。取り付けはボタン、プレススタド、ジッパーまたはホック、およびループ締結材料の使用により達成できる。
【００２２】
ズボン２６は、典型例として、ズボンのウエスト３０をズボン着用者のウエストに適合させる方法を含む。適合させるときに、ズボン２６のウエスト３０はズボンが落下しないようにできる。ズボンは、更に、各脚の開口部内側にパウダースカート３４を含んでよい。本発明の他の事例において、ジッパーの対応する係止部は、対応する係止部が外されるときに、ジッパー部の歯が怪我の原因にならないようにウエルトフラップ３６の下に少なくとも一部が隠れる。
【００２３】
本発明によるパウダースカートの一実施形態が図２に示されている。パウダースカート１８はNylon Tafetta（製品名）パネル１８ｂ上方に縫合されたNylon Spandex（製品名）ニットストレッチパネル １８ａを使用して構成され、かつおよびRubberized Elastic（製品名）１８ｃがNylon Tafettaパネル１８ｂの下ヘムに縫合されている。一実施形態において、ジッパーの係止部２２およびジッパーの対応する係止部３２はYKK#5Coil Separating  Zipper（ジッパー商品名）を使用して構成される。他の実施形態において、パネルの数量の変更および伸縮性および非伸縮性材料による他の組合せがパウダースカート１８の構成に使用でき、他のジッパーがジッパーの係止部２２およびジッパーの対応する係止部３２の構成に使用できる。
【００２４】
衣服セット１０の背面もしくは後面は図３に示されている。ジャケット１２はジャケットの内部２０に取り付けられたパウダースカート１８を見せるために持ち上げられている。ジッパーの対応する係止部３２は、ウエルトフラップ３６の下に完全に隠れている。
【００２５】
パウダースカートが本発明によりズボンへ取り付けられた衣服セット１０の前面図は図４に示されている。ジャケット１２に取り付けられたパウダースカート１８は、ジッパーの係止部２２をジッパーの対応する係止部３２に組合せることによりズボン２６へ取り付けられる。パウダースカートが伸縮材料によるバンドを含む形態において、ある移動がジャケットおよびズボンのある程度の独立運動を可能にするために採用される。伸縮性材料を含まない実施形態において、ジャケットの上方移動はズボンを不快な方法で引き上げる。典型的には、十分な伸縮移動が、活動時または落下時にジャケットがズボンを引き上げる程度を最小限にするために必要とされる。
【００２６】
パウダースカートが本発明によりズボンへ取り付けられた衣服セット１０の後面は図５に示されている。ジッパー部が結合されるときに、ウエルトフラップはパウダースカートの内側に隠れる。
【００２７】
本発明の他の例において、ジッパーの標準的係止部およびジッパーの対応する係止部は本発明によるジャケットおよびズボンの構成において使用される。異なる寸法のジャケットおよびズボンの選択を提供することは、個人による身体形状に最も適した衣服セットの選択を可能にする。標準的ジャケット部の使用は、選択されたジャケットおよびズボンの寸法と関係なくジャケットのパウダースカートがそのジッパー部を使用してズボンへ取り付けられることを確実にする。更に、人は、同一寸法の種々のジャケットを特定ズボンに組合せ、またはその逆の組合せを採用できる。
【００２８】
上述の説明は代表例であって他の変更、置換、改変が本発明の範囲から逸脱することなく本発明システムに採用できる。例えば、プレススタド、ホック、およびループ締結材、ボタン、ステッチ等の永久取り付け、または他のファスナが本発明に従ってパウダースカートをズボンへ固定するために使用できる。更に、本発明の他の形態は、ジャケットへ取り付け可能なズボンへ取り付けられたパウダースカート、またはジャケットへ取り付けられた他のパウダースカートを含む。従って、本発明の範囲は図示形態に限定されることなく、特許請求の範囲およびその均等範囲により決定されるべきである。
【図面の簡単な説明】
【００２９】
【図１】本発明によるジャケットおよびズボンの前面概略図であり、ジャケットはジッパーの係止部を有するパウダースカートを含み、かつズボンはジッパーの対応する係止部を含む。
【図２】本発明によるパウダースカートの構成に使用される材料の概略図である。
【図３】本発明によるジャケットおよびズボンの後面概略図である。
【図４】本発明によるジャケットおよびズボンの前面概略図であり、ジャケットの一部はパウダースカート上のジッパーの係止部の、ズボン上のジッパーの対応する係止部への取り付けを見せるために持ち上げられている。
【図５】本発明によるジャケットおよびズボンの後面概略図であり、ジャケットはパウダースカート上のジッパーの係止部の、ズボン上のジッパーの対応する係止部への取り付けを見せるために持ち上げられている。
【図１】
2007511674.tif 000003
【図２】
2007511674.tif 000004
【図３】
2007511674.tif 000005
【図４】
2007511674.tif 000006
【図５】
2007511674.tif 000007
【国際調査報告】
2007511674.tif 000008